(57)【要約】【課題】電子レンジ機器で加熱し、喫食するとき、容器自体が半ば展開されることでいわば鉢状、皿状を呈し、加熱済みの収納食品を容易、円滑に喫食できるようにする。【解決手段】上部開口のボックス状の容器本体１と、この容器本体１の上部開口に施蓋する蓋体２１とから成る。容器本体１には、底壁部２の周囲で立脚する側壁部３，４，５，６相互間に、施蓋した蓋体２１によって容器本体１自体の内側に蛇腹状に折り込むコーナー連結片７，８，９，１０を、互いに隣接する側壁部３，４，５，６相互間を連結するように配すると共に、蓋体２１を取り外したときは容器本体１の外側に向かって拡開し、展開させるようにする。蓋体２１は、容器本体１の側壁部３，４，５，６に当接する折込状態のコーナー連結片７，８，９，１０の折込部分上縁部分と側壁部３，４，５，６の上縁部分とに嵌め合う係止溝部２３を周側縁に形成する。【選択図】図１
2014094763.tif 000002
【特許請求の範囲】
【請求項１】
上部開口のボックス状の容器本体と、この容器本体の上部開口に施蓋される蓋体とから成る食品容器であって、容器本体は、底壁部の周囲で立脚される側壁部相互間に、容器本体自体の内側あるいは外側に折り込まれ、施蓋時の前記蓋体によって折込状態が維持されるコーナー連結片を、互いに隣接する側壁部相互間を連結するように配すると共に、容器本体から蓋体を取り外したときのコーナー連結片が容器本体の外側に向かって拡開し、展開されるようにしてあることを特徴とする食品容器。
【請求項２】
側壁部は、容器本体の上部開口側に至るに伴い次第に広幅となる逆台形状に形成してある請求項１に記載の食品容器。
【請求項３】
コーナー連結片は、容器本体の内側に蛇腹状に折り込まれて配置される請求項１または２に記載の食品容器。
【請求項４】
コーナー連結片は、容器本体の内側に折り込まれていて、内側に折り込まれている内側折込部分と、この内側折込部分の上部が容器本体の内側に位置されたままで容器本体の外側に向かって折り出されている外側折出部分とを備えて成る請求項１または２に記載の食品容器。
【請求項５】
コーナー連結片それぞれの内側折込部分は一対で設けられていて、外側折出部分は内側折込部分の下部側に位置させた部位を頂点とする折返し線で外方に折り出されている請求項４に記載の食品容器。
【請求項６】
外側折出部分の折出幅員と、この外側折出部分が折り出されたことで残る内側折込部分における折込幅員とは同一にしてある請求項４または５に記載の食品容器。
【請求項７】
コーナー連結片は、容器本体の相互に隣接する側壁部間の底壁部の角隅部を頂点とする放射線状の折込線によって折り込まれて側壁部の外側面に当接されるようにしてある請求項１乃至６のいずれかに記載の食品容器。
【請求項８】
蓋体は、容器本体の内側に折り込まれ、あるいは折り込まれて容器本体の側壁部の外側面に当接されるコーナー連結片の折込部分上縁部分と側壁部の上縁部分とに被さり、嵌め合わせる内法幅員となっている係止溝部を周縁に形成してある請求項１乃至７のいずれかに記載の食品容器。
【請求項９】
容器本体、蓋体は、平面でほぼ矩形状を呈している請求項１乃至８のいずれかに記載の食品容器。
【発明の詳細な説明】
【技術分野】
【０００１】
本発明は、例えばパスタ、各種惣菜、サラダ、御飯もの等の各種の調理済食品を収納しておいて、これを例えば電子レンジ機器で加熱し喫食するとき、ボックス状の容器自体が半ば展開されることによっていわば鉢状、皿状を呈し、加熱済みの収納食品を容易、円滑に喫食できるようにした食品容器に関する。
【背景技術】
【０００２】
従来から、この種の食品容器として合成樹脂被膜による耐水処理が施された所定肉厚の紙片の折込構造あるいは成形構造等による食品容器が種々に提案されている。例えば特許文献１に示される電子レンジ調理食品用紙容器であり、特許文献２に示される食品容器および食品容器用シート材である。特許文献１の紙容器は、底板に連接した４側板間にコーナーフラップを設け、このコーナーフラップを容器主体の内部もしくは外部に合掌させるよう重合させて組み立てると共に、コーナーフラップ内側面間又はこのコーナーフラップと側板との間に、容器の内外で連通する蒸気放出ダクト又は穴を形成して成る。特許文献２の食品容器は、底板部の各辺に起立した側板部の対向する側辺を折返し線で折り返したウェブコーナー部で橋渡し、このウェブコーナー部を側板部の外側面に固定して成る。
【先行技術文献】
【特許文献】
【０００３】
【特許文献１】実開平５−７６６５号公報
【特許文献２】特開２００９−２３６７７号公報
【発明の概要】
【発明が解決しようとする課題】
【０００４】
このような従来の紙製容器では、底壁部の周囲で起立した側壁部相互間を、折込可能となっているコーナー片によって容器の側壁部の内外のいずれかに固定することで所定のボックス状となる容器として構成されるようにしているから、容器内に各種食品の収納が可能であり、またそのまま電子レンジ機器等で加熱することで、容器そのものを食器代用器としても使用可能としている。ただ、これらの従来の容器は、コーナー片の側壁部面との固定によってボックス状となっているから、容器のままで喫食するには、容器自体が深底状に構成されていると、底部近傍の食品は取り出しにくくなる。また、容器の形成素材である耐水性シート材自体においてコーナー片と側壁部との固定は、その耐水処理層の素材によっては相互間の接合を困難にする場合がある。
【０００５】
一方、折込構造のコーナー片を側壁部に接合、固定しないでおくと、ボックス状とするときにこれらのコーナー片が側壁部から遊離するから、ボックス形態を維持できず、食品等を収納するときには極めて面倒である。これを防止すべく、例えば折込構造のコーナー片を、容器本体となるシート素材の一部を延設することで形成したカバーによって覆うことで固定するとすれば、組立前の展開されているシート素材における対向配置される側壁部自体にカバーを連設することになり、そのシート素材の外郭形状が複雑な凹凸状になるから、シート素材に無駄が生じる。
【０００６】
そこで本発明は上述したような従来存した諸事情に鑑み創出されたもので、その目的は食品収納時では収納ボックスとしての形態となって仮止め固定でき、それを維持することで食品の収納を円滑、迅速になし得ると共に、例えば電子レンジ機器による加熱時では収納食品を満遍なく加熱調理でき、加熱終了後の喫食時では容器本体自体を弾力的に拡開、展開させて容器自体をいわば鉢状、皿状に変化させることにより、その儘で代用食器として使用し、喫食も容易となる食品容器を提供することにある。
【課題を解決するための手段】
【０００７】
上述した課題を解決するため、本発明にあっては、後述する発明を実施するための形態における使用符号を付記して説明すると、上部開口のボックス状の容器本体１と、この容器本体１の上部開口に施蓋される蓋体２１とから成る食品容器であって、容器本体１は、底壁部２の周囲で立脚される側壁部３，４，５，６相互間に、容器本体１自体の内側あるいは外側に折り込まれ、施蓋時の前記蓋体２１によって折込状態が維持されるコーナー連結片７，８，９，１０を、互いに隣接する側壁部３，４，５，６相互間を連結するように配すると共に、容器本体１から蓋体２１を取り外したときのコーナー連結片７，８，９，１０が容器本体１の外側に向かって拡開し、展開されるようにしてあることを特徴とする。
側壁部３，４，５，６は、容器本体１の上部開口側に至るに伴い次第に広幅となる逆台形状に形成して構成することができる。
コーナー連結片７，８，９，１０は、容器本体１の内側に蛇腹状に折り込まれて配置されるものとして構成することができる。
コーナー連結片７，８，９，１０は、容器本体１の内側に折り込まれていて、内側に折り込まれている内側折込部分７Ａ，８Ａ，９Ａ，１０Ａと、この内側折込部分７Ａ，８Ａ，９Ａ，１０Ａの上部が容器本体１の内側に位置されたままで外側容器本体１の外側に向かって折り出されている外側折出部分７Ｂ，８Ｂ，９Ｂ，１０Ｂとを備えることで構成することができる。
コーナー連結片７，８，９，１０それぞれの内側折込部分７Ａ，８Ａ，９Ａ，１０Ａは一対で設けられていて、外側折出部分７Ｂ，８Ｂ，９Ｂ，１０Ｂは内側折込部分７Ａ，８Ａ，９Ａ，１０Ａの下部側に位置させた部位を頂点とする折返し線ｘ，ｙで外方に折り出されることで構成することができる。
外側折出部分７Ｂ，８Ｂ，９Ｂ，１０Ｂの折出幅員と、この外側折出部分７Ｂ，８Ｂ，９Ｂ，１０Ｂが折り出されたことで残る内側折込部分７Ａ，８Ａ，９Ａ，１０Ａにおける折込幅員とは同一にして構成することができる。
コーナー連結片７，８，９，１０は、容器本体１の相互に隣接する側壁部３，４，５，６間の底壁部２の角隅部を頂点とする放射線状の折込線ａ，ｂ，ｃによって折り込まれて側壁部３，４，５，６の外側面に当接されるように構成することができる。
蓋体２１は、容器本体１の内側に折り込まれ、あるいは折り込まれて容器本体１の側壁部３，４，５，６に当接されるコーナー連結片７，８，９，１０の折込部分上縁部分と側壁部３，４，５，６の外側面の上縁部分とに被さり、嵌め合わせる内法幅員となっている係止溝部２３を周縁に形成して構成することができる。
容器本体１、蓋体２１は、平面でほぼ矩形状を呈しているものとして構成することができる。
【０００８】
以上のように構成された本発明に係る食品容器にあって、所定の食品Ｆが収納されて、折り込まれたコーナー連結片７，８，９，１０が容器本体１の内側あるいは外側に折り込まれている容器本体１は、この容器本体１に施蓋されている蓋体２１の係止溝部２３によってコーナー連結片７，８，９，１０の折込状態が維持されて、閉塞されたボックス状に保形されている。そして、容器本体１から蓋体２１を取り外すことで、コーナー連結片７，８，９，１０の拡開力を解放し、容器本体１を鉢状、皿状に拡開させる。
コーナー連結片７，８，９，１０は、折り込まれた状態で容器本体１の内側あるいは外側に配置されていることで平坦な原状に復原しようとするいわば弾溌的な拡開力が生じ、蓋体２１の係止溝部２３が側壁部３，４，５，６と共に嵌め合わせられることでこれを保持させるも、蓋体２１の取り外し時ではこれを解放させて、容器本体１を拡開、展開させる。
容器本体１の内側に蛇腹状にして折り込み配置されるコーナー連結片７，８，９，１０は、展開状態で平坦状になっている素材たる容器本体１をその外方から各側壁部３，４，５，６を起立させるように組み立てるとき、その起立と共に容器本体１の内側に折り込まれ、折り込まれたままで食品Ｆを収納させるボックス状に構成させる。
コーナー連結片７，８，９，１０の内側折込部分７Ａ，８Ａ，９Ａ，１０Ａ、外側折出部分７Ｂ，８Ｂ，９Ｂ，１０Ｂは容器本体１の内側に配置されて外側には現出しないことで、食品Ｆの収納、包装時では容器本体１の外観体裁を良好にさせる。また、容器本体１の角隅部で幅狭な蛇腹状を呈して容器本体１内方に大きく出張らないことで実質的な食品Ｆの収納容積を減少させず、収納作業時にコーナー連結片７，８，９，１０における外側に食品Ｆをはみ出させない。
外側折出部分７Ｂ，８Ｂ，９Ｂ，１０Ｂは、内側折込部分７Ａ，８Ａ，９Ａ，１０Ａの下部側に位置させた部位を頂点とする折返し線ｘ，ｙで外方に折り出され、同一幅員で蛇腹状の折込となることで、内側折込部分７Ａ，８Ａ，９Ａ，１０Ａ全体を容器本体１内方に大きく出張らせず、蓋体２１の係止溝部２３による嵌め合いによって、蛇腹状の折込形態を維持させる。
蓋体２１の係止溝部２３は、底壁部２の周囲で立脚させた側壁部３，４，５，６相互間における折込状のコーナー連結片７，８，９，１０の折込部分上縁部分と側壁部３，４，５，６の上縁部分とに被さり、嵌め合わせることで、コーナー連結片７，８，９，１０の折り込み状態を維持し、容器本体１をボックス状の形態で維持させる。
コーナー連結片７，８，９，１０を折り込ませる折込線ａ，ｂ，ｃは、容器本体１の底壁部２の角隅部を頂点とする放射状であることで、コーナー連結片７，８，９，１０自体の折り込みと容器本体１の内外いずれかへの配置とを容易にさせる。
平面で矩形状を呈する容器本体１、蓋体２１は、例えばコンビニエンスストア、スーパーマーケット等での陳列販売を容易にさせる。
【発明の効果】
【０００９】
本発明は以上説明したように構成されているため、食品Ｆの収納時では収納ボックスとしての形態となって仮止め固定され、それが維持されることで食品Ｆの収納を円滑、迅速になし得るのであり、その収納状態での例えば陳列販売を可能にする。また、喫食時では、例えば電子レンジ機器による加熱時では収納した各種の食品Ｆを満遍なく加熱調理できる。加熱終了後の喫食時では蓋体２１を取り外すと容器本体１自体が半ばプレート状に拡開、展開することで容器自体をいわば鉢状、皿状に変化させることができ、その儘で食器代用品として使用でき、それによって収納してある食品Ｆを容易に喫食できる。
【００１０】
すなわちこれは本発明において、容器本体１における底壁部２の周囲で立脚される側壁部３，４，５，６相互間に、容器本体１自体の内側あるいは外側に折り込まれ、施蓋した蓋体２１によって折込状態が維持されるコーナー連結片７，８，９，１０を隣接する側壁部３，４，５，６相互間を連結すると共に、容器本体１に施蓋している蓋体２１を取り外したときのコーナー連結片７，８，９，１０が容器本体１の外側に向かって拡開し、展開されるようにしたからである。これによって、食品Ｆの収納時では蓋体２１が施蓋されたボックス状に維持され、例えば電子レンジ機器による加熱終了後での蓋体２１の取り外しで展開された容器本体１内の食品Ｆを容易に喫食できる。
【００１１】
コーナー連結片７，８，９，１０は、容器本体１の内側に蛇腹状に折り込まれて配置されることで、展開されている平坦状の容器本体１の素材によって組み立てる場合、周囲の各側壁部３，４，５，６を底側壁２から起立させるよう外側から押圧するときに容器本体１の内側にそのまま折り込まれ、容器本体１をボックス状に組立させる。しかも、内側に蛇腹状に折り込みまれボックス状になることで、食品Ｆを容器本体１内にそのままで収納でき、例えば食品工場、加工場その他で立体状となって組み立てられる容器本体１に連続的に食品Ｆを収納、包装する際に効率的に作業を実施できる。
【００１２】
また、コーナー連結片７，８，９，１０は容器本体１の内側に折り込まれ、その内側に折り込まれた内側折込部分７Ａ，８Ａ，９Ａ，１０Ａと、この内側折込部分７Ａ，８Ａ，９Ａ，１０Ａの上部を容器本体１の外側に向けて折り出した外側折出部分７Ｂ，８Ｂ，９Ｂ，１０Ｂとを備えて成るから、コーナー連結片７，８，９，１０は容器本体１の外側に現出しないことで、食品Ｆの収納、包装後での商品としての外観体裁を良好なものとできる。
【００１３】
そればかりでなく、外側折出部分７Ｂ，８Ｂ，９Ｂ，１０Ｂの折出幅員と、この外側折出部分７Ｂ，８Ｂ，９Ｂ，１０Ｂが折り出されたことで残る内側折込部分７Ａ，８Ａ，９Ａ，１０Ａにおける折込幅員とを同一に形成してあることで、コーナー連結片７，８，９，１０自体は蛇腹状となる折込形態となって容器本体１内方に大きく出張らず、食品Ｆの容器本体１内への収納作業時に邪魔にならずに済み、コーナー連結片７，８，９，１０外方に食品Ｆをはみ出させることもない。
【００１４】
しかも、外側折出部分７Ｂ，８Ｂ，９Ｂ，１０Ｂは、内側折込部分７Ａ，８Ａ，９Ａ，１０Ａの下部側に位置させた部位を頂点とする折返し線ｘ，ｙで外方に折り出されて形成されるから、側壁部３，４，５，６相互間に配置されることで底壁部２の角隅部を頂点とするコーナー連結片７，８，９，１０の蛇腹状の折込形態を体裁良く容易に構成できると共に、蓋体２１の係止溝部２３による嵌め合いを確実にし、包装商品としての保形体裁を維持するのにも役立つ。
【００１５】
容器本体１を施蓋する蓋体２１の係止溝部２３は、折り込まれて容器本体１の内側あるいは外側に配置されるコーナー連結片７，８，９，１０の折込部分上縁部分と側壁部３，４，５，６の上縁部分とに被さり、嵌め合わせる内法幅員を備えて蓋体２１の周縁に形成されているから、折込状のコーナー連結片７，８，９，１０を折込状態の儘で維持させ、容器本体１のボックス形態を保持できる。そして、例えば透明である蓋体２１を経ての収納した食品Ｆを容易に視認させることができ、平面で矩形状を呈する容器本体１、蓋体２１とすることと相俟ち、例えばコンビニエンスストア、スーパーマーケット等での陳列販売に一層便利なものとする。
【００１６】
蓋体２１の係止溝部２３は、容器本体１をボックス状に組み立てたときのコーナー連結片７，８，９，１０の拡開作用を抑制することで、容器本体１の所定の組立状態をそのまま維持しており、容器本体１から取り外されたときには、コーナー連結片７，８，９，１０はそれ自身の半ば弾力的な拡開力で容器本体１の外側に拡開する。そのため、容器本体１が深底ボックス状であっても、鉢状、皿状に変化させ、収納してある食品Ｆを容易に取り出し、喫食できる。
【００１７】
コーナー連結片７，８，９，１０は、容器本体１の相互に隣接する側壁部３，４，５，６間の底壁部２の角隅部を頂点とする放射線状の折込線ａ，ｂ，ｃによって折り込まれるから、容器本体１の内側に折り込まれ、あるいは側壁部３，４，５，６に容易に当接させることができ、例えば展開された平坦な形態で食品工場等に納品され、食品工場において組み立てられるとしても容易に組み立てることができ、その納入、保管に掛かる費用を節減できる副次的効果も得られる。もとより、コーナー連結片７，８，９，１０を半ば折り込み、いわば半組立状態にした容器本体１であっても重ね合わせての保持、保管等に何らの支障がなく、多数の容器本体１をコンパクトに纏めておくことができる。
【００１８】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１９】
【図１】本発明を実施するための一形態を示す分解斜視図である。
【図２】同じく要部斜視図である。
【図３】同じく容器本体の展開図である。
【図４】同じく他の構造例における要部斜視図である。
【図５】同じくその構造例における容器本体の要部展開図である。
【図６】同じく本発明を実施するための他の形態を示す分解斜視図である。
【図７】同じくこの他の実施の形態において、蓋体によって施蓋された容器本体の斜視図である。
【図８】同じくその断面図である。
【図９】同じく容器本体の展開平面図である。
【図１０】同じく別の他の実施の形態における斜視図である。
【発明を実施するための形態】
【００２０】
以下、図面を参照して本発明を実施するための一形態を説明すると、図において示される符号１は、例えばコンビニエンスストア、スーパーマーケット等で陳列販売されるパスタ料理、各種惣菜、サラダ、御飯もの、丼もの等の調理済の食品Ｆを所定量で収納保持する容器本体であり、耐水・耐油処理等のための所定の合成樹脂被膜が施されている適宜肉厚の紙材、ＰＰ等のシート状の合成樹脂材その他のシート材によって形成されている。尚、この容器本体１の素材自体は、組立前においては後述する折込線が形成されている状態で嵩張ることなく重ね合わせられるようになっている。
【００２１】
この容器本体１は、底壁部２の周囲の各辺に、周側壁となる各側壁部３，…を連設してあり、例えば平面でほぼ正方形状を呈する底壁部２の各辺それぞれから連設した前後左右の計４個の側壁部３，４，５，６を備えている。また、これらの各側壁部３，４，５，６相互間には、容器本体１自体の外側あるいは内側に折り込まれるコーナー連結片７，８，９，１０が、互いに隣接する側壁部３，４，５，６相互間を連結するようにして形成されている。
【００２２】
図に示される実施の形態にあっての側壁部３，４，５，６は、底壁部２側の直線状の底辺に比し、上部開口部側の上辺がやや長くなっていることで逆台形状に形成され、これによって容器本体１の組立時には開口部がやや大きく開口されている拡開開放状のボックス状となるようにしている。もとより、図示を省略したが側壁部３，４，５，６それぞれは矩形状であっても良い。また、相対向する一組、例えば前後の側壁部３，５あるいは左右の側壁部４，６の少なくともいずれか一方の底辺は、この側壁部３，４，５，６側に出張るように僅かに湾曲しておくこともでき、場合によっては側壁部３，４，５，５を台形状に形成して組立後の容器本体１の上部開口が窄まり状となるように構成することもできる（いずれも図示せず）。
【００２３】
コーナー連結片７，８，９，１０は、底壁部２の角隅部を頂点として放射状に配列された折込線ａ，ｂ，ｃによってほぼ三角形状の適数の折込片を区画形成し、折込線ａ，ｂ，ｃによって折込片を谷折り、山折りすることでコーナー連結片７，８，９，１０自体を複数の三角形状の折込片を重ね合わせた合掌状態にして容器本体１の内側あるいは外側に配置するようにしてある。コーナー連結片７，８，９，１０自体は、折り畳まれた合掌状態とされるも、その折込片相互の当接部位、各側壁部３，４，５，６面との当接部位のいずれにおいても接着、接合等で固定されるものではない。
【００２４】
また、このコーナー連結片７，８，９，１０それぞれは、隣接する各側壁部３，４，５，６相互間で一方の側壁部と他方の側壁部とを連結しており、例えば図示のようにコーナー連結片７，８，９，１０の上縁は、隣接する側壁部３，４，５，６相互の縁部における上縁間で連続させることで、底壁部２の角隅部を中心とする円弧縁となっているが、このコーナー連結片７，８，９，１０の上縁は直線状に形成することも可能である。
【００２５】
図１乃至図３に示される実施の形態におけるコーナー連結片７，８，９，１０は、折込幅がほぼ同一として蛇腹状に折り込まれることで容器本体１の内側に配置構成したものである。すなわち、コーナー連結片７，８，９，１０は、容器本体１の内側に折り込まれることで配置されるようになっていて、内側に折り込まれている内側折込部分７Ａ，８Ａ，９Ａ，１０Ａと、この内側折込部分の上部が容器本体１の内側に位置されたままで外側容器本体１の外側に向かって折り出されている外側折出部分７Ｂ，８Ｂ，９Ｂ，１０Ｂとを備えて成る。
【００２６】
コーナー連結片７，８，９，１０自体は、隣接する側壁部３，４，５，６とは折込区画線ｐ，ｑにて折曲されるように区画形成されており、コーナー連結片７，８，９，１０自体は例えば一対の内側折込部分７Ａ，８Ａ，９Ａ，１０Ａによって容器本体１内方に折り込まれるよう３本の折込線ａ，ｂ，ｃ、すなわち容器本体１外方に向かうよう中央に配置した山折り線ｂ、容器本体１の内方に向かうよう左右に配置した谷折り線ａ，ｃを配して成る。これらの折込区画線ｐ，ｑ、折込線ａ，ｂ，ｃは、いずれも底壁部２における角隅部を頂点とする放射状に配され、図示のように容器本体１の形成素材である紙片等のシート材の厚さを考慮して、その角隅部は僅かに容器本体１の内側に後退するよう傾斜辺となっている。
【００２７】
尚、折込区画線ｐ，ｑは、コーナー連結片７，８，９，１０が容器本体１に織り込まれたときには互いに近接し、立脚した各側壁部３，４，５，６によって所定形状の立体的な容器本体１として組立てられる。
【００２８】
また、外側折出部分７Ｂ，８Ｂ，９Ｂ，１０Ｂは、内側折込部分７Ａ，８Ａ，９Ａ，１０Ａの下部側に位置させた部位を頂点とする折返し線ｘ，ｙで外方に折り出されることで形成されるもので、内側折込部分７Ａ，８Ａ，９Ａ，１０Ａの上部を外側に折り出すときの内方への前記折込線ａ，ｃ自体の上部は、容器本体１外方への折出線ａ’，ｃ’となっている。
【００２９】
図示にあって、外側折出部分７Ｂ，８Ｂ，９Ｂ，１０Ｂの折出幅員と、この外側折出部分７Ｂ，８Ｂ，９Ｂ，１０Ｂが折り出されたことで残る内側折込部分７Ａ，８Ａ，９Ａ，１０Ａにおける折込幅員とは同一にしてあり、内側折込部分７Ａ，８Ａ，９Ａ，１０Ａ、外側折出部分７Ｂ，８Ｂ，９Ｂ，１０Ｂの折込、折出が交互に配されることで結果として全体が蛇腹状に折り畳まれることになり、いずれにしても容器本体１内方に大きく出張ることがないものとしてある。特に、コーナー連結片７，８，９，１０を区画する折込区画線ｐ，ｑ、折込線ａ，ｂ，ｃ、折返し線ｘ，ｙの交互の谷折り、山折りによって容器本体１の内方に折り込ませて容器本体１を、その外方から各側壁部３，４，５，６によって支持するとき、内側折込部分７Ａ，８Ａ，９Ａ，１０Ａ、外側折出部分７Ｂ，８Ｂ，９Ｂ，１０Ｂはいずれも容器本体１内方に大きく出張ることはない。そのため、各種の食品Ｆを容器本体１内に投入する収納作業中でコーナー連結片７，８，９，１０が邪魔になることはなく、またその外側に食品Ｆがはみ出すことがなく、衛生的に処理できる。
【００３０】
尚、内側折込部分７Ａ，８Ａ，９Ａ，１０Ａ、外側折出部分７Ｂ，８Ｂ，９Ｂ，１０Ｂの折込幅員、折出幅員を同一とすることは、図３に示すように、折込線ａ，ｂ，ｃ相互間の放射角度を均等にし、折込線ａ，ｃ上に頂点を設定する折返し線ｘ，ｙが隣接する折込区画線ｐ，ｑあるいは折込線ａ，ｂ，ｃに対し、コーナー連結片７，８，９，１０の上縁における幅員を同一とする間隔で平行状になるように位置決め形成することである。
【００３１】
また、図示例はコーナー連結片７，８，９，１０を一対の内側折込部分７Ａ，８Ａ，９Ａ，１０Ａとして形成した場合であり、これを１個あるいは３個以上とする場合も同様に構成すれば良く、場合によっては外側折出部分７Ｂ，８Ｂ，９Ｂ，１０Ｂの上部を容器本体１の内方に更に折り込むようにして、内側への折り込み、外側への折り出し等を複数とすることも可能であり（いずれも図示せず）、これらは容器本体１の容量・大きさ、側壁数、コーナー連結片７，…の大小・数その他によって適宜に選定すればよい。
【００３２】
図４、図５には、他の構造例が示されており、コーナー連結片７，８，９，１０が、容器本体１の内側に蛇腹状に折り込まれて配置形成されたものである。すなわち、コーナー連結片７，８，９，１０を例えば６個の三角形状の折込片となるよう、折込区画線ｐ，ｑ間を底壁部２の角隅部を頂点とする５個の折込線ａ，ｂ，ｃ，ｄ，ｅによって区画し、順次に山折り、谷折りして３個の折込部分を蛇腹状にして容器本体１の内側で各側壁部３，４，５，６相互間に配置構成して成る。図示にあっては、折込部分を３個としてあるが、これを２個あるいは４個以上に形成することもでき、これは適宜に選定される。
【００３３】
図６乃至図１０に示される実施の形態は、折り込まれるコーナー連結片７，８，９，１０を容器本体１の外側に配置して構成した場合である。すなわち、その外側への配置に際し、相互に隣接する各側壁部３，４，５，６の端部に重ね合わせ宛がうように当接させるようにしてある。その当接位置は、図６乃至図９に示すように例えば平面で矩形状の容器本体１では、前後の側壁部３，５の外側面の両縁部分に対称的に配置されるも良く、当接位置はこれと異なり、左右の側壁部４，６の外側面の両縁部分に対称的に配置されるようにすることもできる。
【００３４】
この折り込まれたコーナー連結片７，８，９，１０は、容器本体１の外側で対称的に配置される場合に限らず、各側壁部３，４，５，６におけるいずれか一方の縁部に配置されていても良い。また、図示を省略したが、隣接する側壁部３，４，５，６に跨るように配置されたり、場合によっては容器本体１の内側、外側での配置を混在させても良い。
【００３５】
尚、折り込まれるコーナー連結片７，８，９，１０は、折込線ａ，ｂ，ｃを奇数本例えば３本としてあって２個の折込部分を形成することで各側壁部３，４，５，６の側面に当接されるも、折込幅、折込部分数に応じて折込線ａ，ｂ，ｃの数は適宜に選定される。もとより、折込線ａ，ｂ，ｃの数を偶数本とすることも可能である。また、コーナー連結片７，８，９，１０における相互の対向面、各側壁部３，４，５，６との当接面のいずれにおいても固定的に接着等されるものではない。そして、折込、当接状態が解放されたときには、コーナー連結片７，８，９，１０自体が備えている折込前の原状態に戻る、いわば弾力的な復原作用によって拡開し、立体的なボックス形態が平面的なプレート状態となるようにしている。
【００３６】
また、容器本体１における各側壁部３，４，５，６の上縁には、コーナー連結片７，８，９，１０それぞれの折込片が折り込まれて重ね合わせられたときの厚さに比し、好ましくはその厚さに比し小さくはない幅員を有する帯状のカバー片１１を連設してある。このカバー片１１によって、折込片によって折り込まれたコーナー連結片７，８，９，１０それぞれの上縁を上方から覆うようにしてあり、例えば後述の蓋体２１にて施蓋するときにコーナー連結片７，８，９，１０それぞれの拡開を防止できるようにし、また施蓋時に良好な体裁が得られるようにしている。このカバー片１１は、折り込まれるコーナー連結片７，８，９，１０が容器本体１の外側で側壁部３，４，５，６に当接されるとき、それらの上縁には少なくとも連設されるも、図示のように全部の側壁部３，４，５，６に設けておくことでコーナー連結片７，８，９，１０をいずれの側壁部３，４，５，６の外側面に当接しても、これらを覆うことができる。
【００３７】
容器本体１が、コーナー連結片７，８，９，１０の内方あるいは外方への折り込み、更にはこの折り込み後の各側壁部３，４，５，６面への当接によってボックス状に組み立てられたとき、容器本体１の上部開口を閉塞し、コーナー連結片７，８，９，１０自体の折り込み、更には各側壁部３，４，５，６への当接を維持する蓋体２１が、容器本体１とは別に用意されている。この蓋体２１は、容器本体１の開口部を覆う蓋本体２２に、容器本体１における各側壁部３，４，５，６の上縁部分を、その内外で容器本体１の内外に配置された折込状のコーナー連結片７，８，９，１０と共に上方から挟み込むように覆う断面で溝形を呈する係止溝部２３を蓋本体２２の周側縁に沿って設けて成る。係止溝部２３の内法幅員は、折り込まれているコーナー連結片７，８，９，１０の折込厚さとこれが当接する側壁部３，４，５，６の肉厚との合計厚さ、あるいはカバー片１１の幅員に比し小さくはなく、また深さはこれらの上縁部分にすっぽりと覆い被さるものとし、折り込まれているコーナー連結片７，８，９，１０の折り込み状態を維持し、これを拡開させないようにしている。
【００３８】
尚、この係止溝部２３は、コーナー連結片７，８，９，１０の折込当接部位では、折り込まれたコーナー連結片７，８，９，１０の折込厚さ、側壁部３，４，５，６の肉厚の合計厚さであることが必要とされても、他部位では側壁部３，４，５，６の肉厚に相当する内法幅員であっても良い。また、図１乃至図３に示されるコーナー連結片７，８，９，１０の容器本体１内方への折込配置の場合には、蓋体２１自体のコーナー部における係止溝部２３はその折込幅員に対応して、辺部に対し傾斜したものとして配置形成される。
【００３９】
蓋本体２２は、係止溝部２３の内側で形成された上方開放の溝部分の内方側壁部を周壁とする上方膨出状に形成されていたり、係止溝部２３自体の内方側壁部を周壁とする平坦状に形成されていたりし、形状・構造は特に限定されない。もっとも、この蓋体２１を経て容器本体１内を外部から視認させるために、これの素材を透明な合成樹脂材にて形成することは好ましく、また蓋体２１の角隅部を図示のように面取り形成しても良い。
【００４０】
蓋体２１は、例えば適宜肉厚の合成樹脂材によって、あるいは紙材等によって成形されるもので、施蓋処理後に例えば合成樹脂製薄膜状のフィルム材によってラッピングされたり、テープ止めされたり、ゴム止めされたり等包装されることで、例えばコンビニエンスストア、スーパーマーケット等で陳列販売されることが予定されている。
【００４１】
尚、図示を省略したが、中蓋を容器本体１と蓋２１との間に介装することもでき、この場合、中蓋の周側縁に係止溝部２３を形成して、折り込まれたコーナー連結片７，８，９，１０を側壁部３，４，５，６に固定的に保持させることができる。
【００４２】
また、図８においては別の実施の形態が示されており、この実施の形態における容器本体１は平面で三角形状を呈しており、このような平面形態が奇数角状である場合には、これのコーナー連結片７，……はいずれも隣接する側壁８、……から折曲されることで当接されていることが望ましい。容器本体１の平面形状はこれに限らず、五角形状、六角形状その他の多角形状とすることができ、任意に選定できる。もとより、これらの容器本体１の平面形状が異なれば、これの上部開口に施蓋される蓋体２１の平面形状もそれらに対応したものとされる。
【００４３】
次にこれの使用の一例を説明すると、所定容量の容器本体１となるよう、折込区画線ｐ，ｑ、折込線ａ，ｂ，ｃ、折返し線ｘ，ｙが形成されて外郭形状に沿った裁断形成済みの展開された容器本体１の素材が用意されており、この素材における折込区画線ｐ，ｑ、折込線ａ，ｂ，ｃ等にしたがって折り込みあるいは折り出し、上部が開口されていると共に、底壁部２の周囲で立脚した側壁部３，４，５，６の内方にコーナー連結片７，８，９，１０を折込配置したり、あるいは側壁部３，４，５，６の外側面に、折り込まれたコーナー連結片７，８，９，１０を当接させたりして組み立てる。組み立てられた容器本体１内に所定の食品Ｆを収納し、折り込まれたコーナー連結片７，８，９，１０にはこれの上方から係止溝部２３を嵌め合わせることで蓋体２１を被せる。次いで、必要があればラッピング包装し、例えばコンビニエンスストア、スーパーマーケット等で陳列販売する。
【００４４】
尚、例えば食品工場等で各種の調理済み食品Ｆを収納、包装するには、例えばこの組み立てられた容器本体１を、これをすっぽりと嵌り込ませることで組立状態を維持するようにした例えば組立維持孔が開口配列されたり、個別に収納保持する収納枠体、収納ボックス等が配列されたりしている搬送コンベアその他によって搬送し、その搬送中に、上部が開放されている容器本体１内に所定の食品Ｆを収納し、蓋体２１によって施蓋し、包装して出荷すれば良い。
【００４５】
喫食に際しては、蓋体２１を被せた儘の容器本体１を例えば所定の電子レンジ機器内にセットし加熱すれば良く、加熱後は電子レンジ機器から取り出し、蓋体２１を取り外すと、それまで折り込まれることで拡開作用が抑制されていたコーナー連結片７，８，９，１０の拡開力が解放され、容器本体１自体が鉢状、皿状等の半ばプレート状に拡開するものとなる。そして、収納してあった例えばパスタ、各種惣菜、サラダ、御飯もの等の各種の食品Ｆを容器本体１から喫食すれば良く、例えば深底ボックス状、窄まり状であった容器本体１でも食品Ｆを容易に喫食できる。もとより、電子レンジ機器による加熱が不要であれば蓋体２１を取り外し、そのまま喫食すれば良い。
【符号の説明】
【００４６】
Ｆ…食品
１…容器本体                            ２…底壁部
３，４，５，６…側壁部                  ７，８，９，１０…コーナー連結片
７Ａ，８Ａ，９Ａ，１０Ａ…内側折込片    ７Ｂ，８Ｂ，９Ｂ，１０Ｂ…外側折出片
１１…カバー片
２１…蓋体                              ２２…蓋本体
２３…係止溝部
ａ，ｂ，ｃ，ｄ，ｅ…折込線              ａ’，ｃ’…折出線
ｐ，ｑ…折込区画線                      ｘ，ｙ…折返し線
【図１】
2014094763.tif 000003
【図２】
2014094763.tif 000004
【図３】
2014094763.tif 000005
【図４】
2014094763.tif 000006
【図５】
2014094763.tif 000007
【図６】
2014094763.tif 000008
【図７】
2014094763.tif 000009
【図８】
2014094763.tif 000010
【図９】
2014094763.tif 000011
【図１０】
2014094763.tif 000012